(57)【要約】      （修正有）【課題】特殊な治具を用いずに、部品を仮保持することができるナビゲーション装置の技術を提供する。【解決手段】主面を備える筐体１００と、前記筐体１００の前記主面上に積み重ねられ、前記主面を基準にねじ止めされる一つ又は複数の内部部材と、を備え、前記主面には、前記内部部材の少なくとも一つを吊り下げるための爪部１２３，１２４，１４３，１４４と、位置決め孔１２５Ｔ，１４５Ｔと、を備え、前記内部部材の少なくとも一つは、前記主面の爪部１２３，１２４，１４３，１４４に引っ掛けられて取り付け位置を特定される切り欠き１３２，１３３，１５２，１５３と、前記位置決め孔１２５Ｔ，１４５Ｔにはまり込む突起１３７，１５５と、を備える。【選択図】図３
2012051418.tif 000002
【特許請求の範囲】
【請求項１】
主面を備える筐体と、
前記筐体の前記主面上に積み重ねられ、前記主面を基準にねじ止めされる一つ又は複数の内部部材と、を備え、
前記主面には、前記内部部材の少なくとも一つを吊り下げるための爪部と、位置決め孔と、を備え、
前記内部部材の少なくとも一つは、前記主面の爪部に引っ掛けられて取り付け位置を特定される切り欠きと、前記位置決め孔にはまり込む突起と、を備える、
ことを特徴とするナビゲーション装置。
【請求項２】
請求項１に記載のナビゲーション装置であって、
前記主面の爪部は、前記主面のうち、前記内部部材の外周に沿う位置に設けられている、
ことを特徴とするナビゲーション装置。
【請求項３】
請求項１または２に記載のナビゲーション装置であって、
前記位置決め孔にはまり込む突起は、前記位置決め孔に向かって押し付けられるよう付勢される弾性部材に設けられている、
ことを特徴とするナビゲーション装置。
【請求項４】
請求項１〜３のいずれか一項に記載のナビゲーション装置であって、
前記切り欠きには、第二の突起が設けられ、前記第二の突起により前記爪部と接触する、
ことを特徴とするナビゲーション装置。
【請求項５】
請求項１〜４のいずれか一項に記載のナビゲーション装置であって、
前記爪部は、基部と、基部から前記主面に垂直な角度で折り曲げられて形成される腕部と、前記腕部から鈍角に折り曲げられて形成される先端部と、を備え、
前記基部から、前記腕部と前記先端部との間の折り曲げ位置までは、前記内部部材の切り欠きの周囲の板厚と略同等の長さを備える、
ことを特徴とするナビゲーション装置。
【請求項６】
請求項１〜５のいずれか一項に記載のナビゲーション装置であって、
前記筐体と、前記切り欠きを備える前記内部部材の少なくとも一つとは、前記筐体の主面の外側からねじ止めされて固定される、
ことを特徴とするナビゲーション装置。
【請求項７】
ナビゲーション装置の組立構造であって、
前記ナビゲーション装置は、
主面を備える筐体と、
一つ又は複数の内部部材と、を備え、
前記主面には、爪部と、位置決め孔と、が備えられ、
前記内部部材の少なくとも一つには、切り欠きと、突起と、が備えられ、
前記内部部材は、前記筐体の前記主面上に積み重ねられ、前記主面に備えられた前記爪部に、前記切り欠きが引っ掛けられ、さらに、前記主面に備えられた位置決め孔に、前記突起がはまり込んで取り付け位置を特定されて、前記主面を基準にねじ止めされる、
ことを特徴とするナビゲーション装置の組立構造。
【請求項８】
請求項７に記載のナビゲーション装置の組立構造であって、
前記主面の爪部は、前記主面のうち、前記内部部材の外周に沿う位置に設けられている、
ことを特徴とするナビゲーション装置の組立構造。
【請求項９】
請求項７または８に記載のナビゲーション装置の組立構造であって、
前記位置決め孔にはまり込む突起は、前記位置決め孔に向かって押し付けられるよう付勢される弾性部材に設けられている、
ことを特徴とするナビゲーション装置の組立構造。
【請求項１０】
請求項７〜９のいずれか一項に記載のナビゲーション装置の組立構造であって、
前記切り欠きには、第二の突起が設けられ、前記第二の突起により前記爪部と接触する、
ことを特徴とするナビゲーション装置の組立構造。
【請求項１１】
請求項７〜１０のいずれか一項に記載のナビゲーション装置の組立構造であって、
前記爪部は、基部と、基部から前記主面に垂直な角度で折り曲げられて形成される腕部と、前記腕部から鈍角に折り曲げられて形成される先端部と、を備え、
前記基部から、前記腕部と前記先端部との間の折り曲げ位置までは、前記内部部材の切り欠きの周囲の板厚と略同等の長さを備える、
ことを特徴とするナビゲーション装置の組立構造。
【請求項１２】
請求項７〜１１のいずれか一項に記載のナビゲーション装置の組立構造であって、
前記筐体と、前記切り欠きを備える前記内部部材の少なくとも一つとは、前記筐体の主面の外側からねじ止めされて固定される、
ことを特徴とするナビゲーション装置の組立構造。
【発明の詳細な説明】
【技術分野】
【０００１】
本発明は、ナビゲーション装置の技術に関するものである。
【背景技術】
【０００２】
従来、ナビゲーション装置は、電子部品や機械部品を、骨格を形成する筐体にねじ等により固定して組みつけて構成される。特許文献１には、このようなナビゲーション装置についての技術が記載されている。
【先行技術文献】
【特許文献】
【０００３】
【特許文献１】特開平０９−０７９４８１号公報
【発明の概要】
【発明が解決しようとする課題】
【０００４】
しかし、上記のようなナビゲーション装置では、製造の際に、部品ごとに特殊な治具を用いて組み付ける必要がある場合が多かった。すなわち、各部品を組み付ける際に、部品ごとにねじ止めを行うために、ねじ止め作業のために部品を仮保持する特殊な治具が必要になることが多く、作業工程が複雑であった。
【０００５】
本発明の目的は、特殊な治具を用いずに、部品を仮保持することができるナビゲーション装置の技術を提供することにある。
【課題を解決するための手段】
【０００６】
上記課題を解決すべく、本発明に係るナビゲーション装置は、主面を備える筐体と、前記筐体の前記主面上に積み重ねられ、前記主面を基準にねじ止めされる一つ又は複数の内部部材と、を備え、前記主面には、前記内部部材の少なくとも一つを吊り下げるための爪部と、位置決め孔と、を備え、前記内部部材の少なくとも一つは、前記主面の爪部に引っ掛けられて取り付け位置を特定される切り欠きと、前記位置決め孔にはまり込む突起と、を備える、ことを特徴とする。
【０００７】
また、本発明に係るナビゲーション装置の組立構造では、前記ナビゲーション装置は、主面を備える筐体と、一つ又は複数の内部部材と、を備え、前記主面には、爪部と、位置決め孔と、が備えられ、前記内部部材の少なくとも一つには、切り欠きと、突起と、が備えられ、前記内部部材は、前記筐体の前記主面上に積み重ねられ、前記主面に備えられた前記爪部に、前記切り欠きが引っ掛けられ、さらに、前記主面に備えられた位置決め孔に、前記突起がはまり込んで取り付け位置を特定され、前記主面を基準にねじ止めされる、ことを特徴とする。
【発明の効果】
【０００８】
本願発明によれば、特殊な治具を用いずに、部品を仮保持することができるナビゲーション装置の技術を提供することが可能となる。
【図面の簡単な説明】
【０００９】
【図１】図１は、ナビゲーション装置の組立工程を示す図である。
【図２】図２は、ナビゲーション装置の組立工程を示す図である。
【図３】図３は、ナビゲーション装置の天面に部品を組み付ける状態を示す図である。
【図４】図４は、筐体の断面図である。
【図５】図５は、筐体の天面に部品を組み付けた状態の断面図である。
【図６】図６は、筐体の天面に部品を組み付ける組立工程を示す図である。
【図７】図７は、筐体の天面に部品を組み付ける組立工程を示す図である。
【図８】図８は、筐体の天面に部品を組み付ける組立工程を示す図である。
【発明を実施するための形態】
【００１０】
以下に、本発明の第一の実施形態を適用したナビゲーション装置について、図面を参照して説明する。
【００１１】
図１、図２に、ナビゲーション装置１の組立工程の概要の図を示す。なお、ナビゲーション装置１は、地図情報を表示して、ナビゲーション装置１の現在地を示す地点と、設定された目的地までの経路を誘導する情報と、を示すことが可能ないわゆるナビゲーション装置である。なお、以降の記載において、ナビゲーション装置１の通常の使用状態を基準として、底面方向をＺ方向、裏面方向をＹ方向、左面方向をＸ方向とする３軸方向で図上の方向を表す。
【００１２】
ナビゲーション装置１は、コの字型をした筐体の骨格となる金属筐体１００と、金属筐体１００の天面（図１（ａ）、（ｂ）および図２（ａ）においては、図の下方向の面）に取り付けられる第一の内部ユニット２００と、金属筐体１００の両側面（図１（ｂ）における図の右下方向の面および左上方向の面）に取り付けられる第二の内部ユニット３００と、金属筐体１００の底面（図２（ａ）においては、図の上方向の面）を構成する底面ユニット４００と、を備えている。
【００１３】
また、図２（ｂ）に示すように、ナビゲーション装置１は、金属筐体１００の天面、両側面の外側から、上記第一の内部ユニット２００、第二の内部ユニット３００、底面ユニット４００がねじ止めされる。なお、本実施形態においては、金属筐体１００の側面の片方の面（図２（ｂ）の図右下側の面）には開口がある。
【００１４】
なお、本実施形態においては、第一の内部ユニット２００は、ＣＤ（Compact Disk）やＤＶＤ（Digital Versatile Disk）等の光磁気ディスクや、各種メモリーカード等の記憶媒体の入出力インターフェースを備えるユニットである。また、第二の内部ユニット３００は、オーディオヴィジュアル機能を実現する処理系を備える電子基板であるオーディオ基板と、ナビゲーション機能を実現する処理系を備える電子基板であるナビ基板と、を含む各種基板が組み付けられた演算処理部ユニットである。また、底面ユニット４００は、金属筐体１００の底面を構成する板金を含み、金属筐体１００の前面（図１（ａ）における左下方向の面）に取り付けられる図示しないディスプレイ部材をチルト動作させるためのアーム部材や、当該アーム部材をスライド移動させるための動力となるモーターやギヤ等を備えるユニットである。
【００１５】
図１（ａ）に示すように、まず、第一の内部ユニット２００は、金属筐体１００の天面（図１（ａ）の下方向の面）に接点を持つように取り付けられて仮保持される。すなわち、第一の内部ユニット２００は、ナビゲーション装置１００の通常状態においては、金属筐体１００の天面から吊り下げられるように仮保持されるといえる。そして、図１（ｂ）に示すように、第一の内部ユニット２００の上（図１（ｂ）の上方向）から、第二の内部ユニットが、積み重ねられるように位置決めされ、金属筐体１００の両側面（図１（ｂ）の図の右下方向の面と、左上方向の面）に接点を持つように取り付けられて仮保持される。そして、さらに、第二の内部ユニット３００の上（図２（ａ）の上方向）から、底面ユニット４００が、積み重ねられるように位置決めされ、金属筐体１００の両側面（図２（ａ）の図の右下方向の面と、左上方向の面）に接点を持つように取り付けられて仮保持される。
【００１６】
図２（ｂ）に示すように、金属筐体１００に第一の内部ユニット２００と、第二の内部ユニット３００と、底面ユニット４００と、が取り付けられて仮保持された状態において、各ユニットは金属筐体１００の外部からねじ止めされ、固定される。なお、金属筐体１００の天面（図２（ｂ）における図の上方向の面）にねじ込まれる天面側ねじ群１１０Ｔは、金属筐体１００の天面に設けられた孔を貫通して、天面の内側に仮保持された第一の内部ユニット２００の所定のねじ孔にはまりこむ。これにより、第一の内部ユニット２００は、金属筐体１００へ固定され組み付けがなされる。また、金属筐体１００の右側面（図２（ｂ）における図の右下方向の面）にねじ込まれる右側面側ねじ群１１０Ｒは、金属筐体１００の右側面に設けられた孔を貫通して、右側面の内側に仮保持された第二の内部ユニット３００および底面ユニット４００の所定のねじ孔にはまりこむ。同様に、左側面（図２（ｂ）における図の左上方向の面）にねじ込まれる左側面側ねじ群１１０Ｌは、筐体１００の左側面に設けられた孔を貫通して、左側面の内側に仮保持された第二の内部ユニット３００および底面ユニット４００の所定のねじ孔にはまりこむ。これにより、第二の内部ユニット３００および底面ユニット４００は、金属筐体１００へ固定され組みつけがなされる。
【００１７】
図３は、図１（ａ）に示す天面に部品を組み付ける工程における、金属筐体１００と、第一の内部ユニット２００と、の詳細な斜視図である。金属筐体１００の天面の左側端の拡大図１２０に示すように、天面には、筐体内部に取り付けられる第一の内部ユニット２００を取り付けるための天面左表側ねじ孔１２１および天面左裏側ねじ孔１２２が設けられている。また、それぞれのねじ孔の付近には、第一の内部ユニット２００の位置を決め、仮保持するための表側引掛爪１２３および裏側引掛爪１２４が設けられている。そして、表側引掛爪１２３と、裏側引掛爪１２４との中間位置付近に、第一の内部ユニット２００に設けられた左端側位置決め突起１３７がはまり込むための天面左位置決め孔１２５Ｔが設けられている。
【００１８】
表側引掛爪１２３、裏側引掛爪１２４は、筐体内部方向へ突出する爪であり、それぞれの先端は、直角よりも鈍角となるように折り曲げられている。なお、表側引掛爪１２３、裏側引掛爪１２４の基部は、筐体内部方向へ直角に折れ曲げられている。当該先端部に、後述する第一の内部ユニット２００の左側フランジ部１３１に設けられた左側フランジ表面側切り欠き部１３２または左側フランジ裏面側切り欠き部１３３が引掛けられることにより、第一の内部ユニット３００は天面に対して位置決めされて、仮保持される。なお、当該先端部は鈍角であるが、当該先端部の折り曲げ位置の高さが、左側フランジ部１３１の厚さ相当となるように折り曲げられている。そのため、表側引掛爪１２３、裏側引掛爪１２４に左側フランジ表面側切り欠き部１３２および左側フランジ裏面側切り欠き部１３３が引掛けられると、表側引掛爪１２３、裏側引掛爪１２４の基部と先端との間に、左側フランジ部１３１が密着してはまり込む。そのため、第一の内部ユニット２００は、上下方向についても位置決めされる。また、表側引掛爪１２３、裏側引掛爪１２４の基部と先端との間に、左側フランジ部１３１が密着してはまり込むことで、第一の内部ユニット２００に設けられた左端側位置決め突起１３７が、天面左位置決め孔１２５Ｔにはまり込む。すると、左端側位置決め突起１３７は、左側フランジ部１３１の可塑性により天面左位置決め孔１２５Ｔに付勢され、押し付けられる。これにより、左端側位置決め突起１３７が、天面左位置決め孔１２５Ｔにはまり込んだまま固定されるため、より確実な位置決めがなされる。
【００１９】
また、金属筐体１００の天面の右側端の拡大図１４０に示すように、天面には、筐体内部に取り付けられる第一の内部ユニット２００を取り付けるための天面右表側ねじ孔１４１および天面右裏側ねじ孔１４２が設けられている。また、それぞれのねじ孔の付近には、第一の内部ユニット２００の位置を決め、仮保持するための表側引掛爪１４３および裏側引掛爪１４４が設けられている。そして、表側引掛爪１４３と、裏側引掛爪１４４との中間位置付近に、第一の内部ユニット２００に設けられた右端側位置決め突起１５５がはまり込むための天面右位置決め孔１４５Ｔが設けられている。
【００２０】
表側引掛爪１４３、裏側引掛爪１４４は、筐体内部方向へ突出する爪であり、それぞれの先端は、直角よりも鈍角となるように折り曲げられている。なお、表側引掛爪１４３、裏側引掛爪１４４の基部は、筐体内部方向へ直角に折れ曲げられている。当該先端部に、後述する第一の内部ユニット２００の右側フランジ部１５１に設けられた右側フランジ表面側切り欠き部１５２または右側フランジ裏面側切り欠き部１５３が引掛けられることにより、第一の内部ユニット２００は天面に対して位置決めされて、仮保持される。なお、当該先端部は鈍角であるが、当該先端部の折り曲げ位置の高さが、右側フランジ部１５１の厚さ相当となるように折り曲げられている。そのため、表側引掛爪１４３、裏側引掛爪１４４に右側フランジ表面側切り欠き部１５２および左側フランジ裏面側切り欠き部１５３が引掛けられると、表側引掛爪１４３、裏側引掛爪１４４の基部と先端との間に、右側フランジ部１５１が密着してはまり込む。そのため、第一の内部ユニット２００は、上下方向についても位置決めされる。また、表側引掛爪１４３、裏側引掛爪１４４の基部と先端との間に、右側フランジ部１５１が密着してはまり込むことで、第一の内部ユニット２００に設けられた右端側位置決め突起１５５が、天面右位置決め孔１４５Ｔにはまり込む。すると、右端側位置決め突起１５５は、右側フランジ部１５１の可塑性により天面右位置決め孔１４５Ｔに押し付けられる。これにより、右端側位置決め突起１５５が、天面右位置決め孔１４５Ｔにはまり込んだまま固定されるため、より確実な位置決めがなされる。
【００２１】
第一の内部ユニット２００の左側端の拡大図１３０に示すように、第一の内部ユニット２００の左端には、第一の内部ユニット２００の左側面から略垂直に突出する板状の左側フランジ部１３１が設けられている。左側フランジ部１３１には、金属筐体１００に第一の内部ユニット２００を取り付けるための左側フランジ表面側ねじ孔１３８および左側フランジ裏面側ねじ孔１３９が設けられている。また、それぞれのねじ孔の付近には、左側フランジ表面側切り欠き部１３２および左側フランジ裏面側切り欠き部１３３が設けられている。また、左側フランジ部１３１の左側フランジ表面側切り欠き部１３２と、左側フランジ裏面側切り欠き部１３３と、の間には、左側フランジ表面側切り欠き部１３２の付近に、左側フランジ部１３１の一部が板バネ形状に形成されている箇所があり、当該箇所の板バネ先端部には、左端側位置決め突起１３７が設けられている。左端側位置決め突起１３７は、先端がドーム状、すなわち半球状に膨らんだ円柱形状の突起である。
【００２２】
左側フランジ表面側切り欠き部１３２および左側フランジ裏面側切り欠き部１３３は、第一の内部ユニット２００の取り付け位置を決め、仮保持するために金属筐体１００の天面の左端に設けられた表側引掛爪１２３および裏側引掛爪１２４に引っ掛かる切り欠きである。なお、左側フランジ表面側ねじ孔１３８と左側フランジ表面側切り欠き部１３２との間の距離、および左側フランジ裏面側ねじ孔１３９と左側フランジ裏面側切り欠き部１３３との間の距離は、短いほどよりよい。仮保持の基準となる位置と、固定の基準となる位置との間が短い方が、組みつけの精度が高くなるためである。
【００２３】
第一の内部ユニット２００の右側端の拡大図１５０に示すように、第一の内部ユニット２００の右端には、第一の内部ユニット２００の右側面から略垂直に突出する板状の右側フランジ部１５１が設けられている。右側フランジ部１５１には、金属筐体１００に第一の内部ユニット２００を取り付けるための右側フランジ表面側ねじ孔１５８および右側フランジ裏面側ねじ孔１５９が設けられている。また、それぞれのねじ孔の付近には、右側フランジ表面側切り欠き部１５２および右側フランジ裏面側切り欠き部１５３が設けられている。また、右側フランジ部１５１の右側フランジ表面側切り欠き部１５２と、右側フランジ裏面側切り欠き部１５３と、の間には、右側フランジ表面側切り欠き部１５２の付近に、右側フランジ部１５１の一部が板バネ形状に形成されている箇所があり、当該箇所の板バネ先端部には、右端側位置決め突起１５５が設けられている。右端側位置決め突起１５５は、先端がドーム状、すなわち半球状に膨らんだ円柱形状の突起である。
【００２４】
右側フランジ表面側切り欠き部１５２および右側フランジ裏面側切り欠き部１５３は、第一の内部ユニット２００の取り付け位置を決め、仮保持するために金属筐体１００の天面の右端に設けられた表側引掛爪１４３および裏側引掛爪１４４に引っ掛かる切り欠きである。なお、右側フランジ表面側切り欠き部１５２には、金属筐体１００へのＹ軸方向の取り付け位置の精度を高めるための突起部材１５２Ｓが設けられており、当該突起が表側引掛爪１４３へ接触するように仮保持することで、位置の精度を高いものとしている。また、右側フランジ表面側ねじ孔１５８と右側フランジ表面側切り欠き部１５２との間の距離、および右側フランジ裏面側ねじ孔１５９と右側フランジ裏面側切り欠き部１５３との間の距離は、短いほどよりよい。仮保持の基準となる位置と、固定の基準となる位置との間が短い方が、組みつけの精度が高くなるためである。
【００２５】
図４は、金属筐体１００の天面の上面（図４（ａ））およびそのＡ−Ａ断面（図４（ｂ））を示す図である。すなわち、図４（ｂ）に示す断面図Ａ−Ａには、金属筐体１００の天面に設けられ、内側に向って突出する表側引掛爪１４３および裏側引掛爪１４４を、右側面側からＸ方向に見た状態が表示されている。
【００２６】
図５は、第一の内部ユニット２００が金属筐体１００に仮保持されている状態における、金属筐体１００の天面の上面（図５（ａ））およびそのＡ−Ａ断面（図５（ｂ））を示す図である。すなわち、図５（ｂ）に示す断面図Ａ−Ａには、金属筐体１００の天面に設けられ、内側に向って突出する表側引掛爪１４３および裏側引掛爪１４４が、それぞれ、第一の内部ユニット２００の右側フランジ表面側切り欠き部１５２および右側フランジ裏面側切り欠き部１５３に引っ掛かり、仮保持している状態が表示されている。
【００２７】
なお、図５（ｂ）において、裏側引掛爪１４４の付近を拡大した図が示されている。裏側引掛爪１４４は、基部１４４Ａと、基部１４４から垂直に折り曲げられた腕部１４４Ｂと、腕部１４４Ｂから鈍角に折り曲げられた先端部１４４Ｃと、を含む。先端部１４４Ｃが、腕部１４４Ｂから鈍角に折り曲げられていることにより、第一の内部ユニット２００の右側フランジ裏面側切り欠き部１５３が、取り付けられるべき位置に導かれるため、はまりこみ易くなっている。すなわち、先端部１４４Ｃは、ガイドの役割を担っているといえる。なお、表側引掛爪１４３についても、裏側引掛爪１４４と同様の形状を備え、天面左側の表側引掛爪１２３、裏側引掛爪１２４についても、同様の形状を備えているため、説明は省略する。
【００２８】
図６〜図８は、第一の内部ユニット２００が金属筐体１００に取り付けられる手順をより細かく示す図である。図６に示すように、第一の内部ユニット２００は、金属筐体１００の天面に向って落とし込まれ、金属筐体１００の天面右側にある表側引掛爪１４３および裏側引掛爪１４４と、天面左側にある表側引掛爪１２３および裏側引掛爪１２４が、第一の内部ユニット２００の右側フランジ表面側切り欠き部１５２および右側フランジ裏面側切り欠き部１５３と、第一の内部ユニット２００の左側フランジ表面側切り欠き部１３２および左側フランジ裏面側切り欠き部１３３にそれぞれ引っ掛かる方向に（図６において右上Ｙ方向に）スライド移動されて取り付けられる。その際、天面右位置決め孔１４５Ｔには、第一の内部ユニット２００の右側フランジ部１５１に設けられた右端側位置決め突起１５５がはまりこみ、天面左位置決め孔１２５Ｔには、第一の内部ユニット２００の左側フランジ部１３１に設けられた左端側位置決め突起１３７がはまりこむことで、前後位置がより強固に特定され、より安定して仮保持される。
【００２９】
図７は、このようにして第一の内部ユニット２００が金属筐体１００に仮保持されている状態を示す。この状態では、第一の内部ユニット２００と金属筐体１００は、やや弱いものの、ねじ止めをするために金属筐体１００および第一の内部ユニット２００との位置を保持するために特別な治具が不要となる程度に固定される。
【００３０】
図８は、ねじ止めを行う工程の組立状態を示す斜視図である。なお、図８では、説明を簡略化するために、第二の内部ユニット３００および底面ユニット４００を省略して記載しているが、実際には、これらのユニットも仮保持された状態でねじ止めがなされてもよい。金属筐体１００の天面の天面左表面側ねじ孔１２１と、天面左裏面側ねじ孔１２２と、天面右表面側ねじ孔１４１と、天面右裏面側ねじ孔１４２と、には、天面側ねじ群１１０Ｔがそれぞれ貫通し、第一の内部ユニット２００の左側フランジ表面側ねじ孔１３８と、左側フランジ裏面側ねじ孔１３９と、右側フランジ表面側ねじ孔１５８と、右側フランジ裏面側ねじ孔１５９と、にそれぞれねじ込まれる。
【００３１】
本実施形態においては、第一の内部ユニット２００は、金属筐体１００の天面と接触をもつように仮保持されるため、金属筐体１００の側面の一部が開口している等、金属筐体１００の側面に取り付けることが難しい場合であっても、安定して仮保持される。これは、金属筐体１００の天面に複数の内部ユニットが取り付けられるために、側面と接点をもつことができないユニットが存在する場合等においても、特別な治具を用いずに正確に位置決めおよび仮保持を実現することができるため、非常に有用である。
【００３２】
以上が、本願発明にかかる第一の実施形態である。上記実施形態によれば、ナビゲーション装置１は、特殊な治具を用いずに、部品を仮保持することができる。そのため、ナビゲーション装置の組立精度を高めつつ、組立にかかる作業量を減らすことができる。また、組立にミスがあった場合にも、ミスを修正して再度組み立てることが容易にできる。ねじ止めを最後に行うものであるから、それまでの仮保持の状態においては、ねじを取り外ししなくとも各内部ユニットの再組み付けが可能となるからである。
【００３３】
また、上記実施形態によれば、右側フランジ表面側切り欠き部１５２および右側フランジ裏面側切り欠き部１５３と、天面の表側引掛爪１４３および裏面側引掛爪１４４がそれぞれ咬み合うことで、金属筐体１００と第一の内部ユニット２００との左右方向および上下方向の位置決めがなされる。そして、左側フランジ表面側切り欠き部１３２および左側フランジ裏面側切り欠き部１３３と、天面の表側引掛爪１２３および裏面側引掛爪１２４がそれぞれ咬み合うことで、金属筐体１００と第一の内部ユニット２００との水平回転方向および上下方向の位置決めがなされる。
【００３４】
本発明は、上記の実施形態に制限されない。上記実施形態は、本発明の技術的思想の範囲内で様々な変形が可能である。例えば、上記実施形態においては、筐体１００はコの字型をしており、天面、左右側面を備えるものであるが、これに限られず、例えば左右の側面と底面を備えるものであってもよいし、天面のみまたは底面のみを備えるものであってもよい。このようにすることで、様々な形状の骨格を備えるナビゲーション装置についても、仮保持を行ってねじ止め工程を下流工程に集約することができるようになる。
【００３５】
以上、本発明について、実施形態を中心に説明した。なお、上記の実施形態では、本発明をナビゲーション装置に適用した例について説明したが、本発明はナビゲーション装置に限らず、組立構造を備える装置全般に適用することができる。
【符号の説明】
【００３６】
１・・・ナビゲーション装置、１００・・・筐体、１１０Ｒ・・・右側ねじ群、１１０Ｌ・・・左側ねじ群、１１０Ｔ・・・天面側ねじ群、１２０・・・天面左端部、１２１・・・天面左表面側ねじ孔、１２２・・・天面左裏面側ねじ孔、１２３・・・表側引掛爪、１２４・・・裏側引掛爪、１２５Ｔ・・・天面左位置決め孔、１３０・・・第一の内部ユニット左端部、１３１・・・左側フランジ部、１３２・・・左側フランジ表面側切り欠き部、１３３・・・左側フランジ裏面側切り欠き部、１３４・・・第一の内部ユニット左端側ねじ孔、１３７・・・左端側位置決め突起、１３８・・・左側フランジ表面側ねじ孔、１３９・・・左側フランジ裏面側ねじ孔、１４０・・・天面右端部、１４１・・・天面右表面側ねじ孔、１４２・・・天面右裏面側ねじ孔、１４３・・・表側引掛爪、１４４・・・裏面側引掛爪、１４４Ａ・・・基部、１４４Ｂ・・・腕部、１４４Ｃ・・・先端部、１４５Ｔ・・・天面右位置決め孔、１５０・・・第一の内部ユニット右端部、１５１・・・右側フランジ部、１５２・・・右側フランジ表面側切り欠き部、１５２Ｓ・・・突起、１５３・・・右側フランジ裏面側切り欠き部、１５４・・・第一の内部ユニット右端側ねじ孔、１５５・・・右端側位置決め突起、１５８・・・右側フランジ表面側ねじ孔、１５９・・・右側フランジ裏面側ねじ孔、２００・・・第一の内部ユニット、３００・・・第二の内部ユニット、４００・・・底面ユニット
【図１】
2012051418.tif 000003
【図２】
2012051418.tif 000004
【図３】
2012051418.tif 000005
【図４】
2012051418.tif 000006
【図５】
2012051418.tif 000007
【図６】
2012051418.tif 000008
【図７】
2012051418.tif 000009
【図８】
2012051418.tif 000010